(57)【特許請求の範囲】
【請求項１】
ディスクカートリッジを、ディスクドライブ装置内部に挿入するためにディスクドライブ装置に設けられた挿入口を塞ぐシャッター構造であって、前記挿入口に設けられ、前記挿入口の１辺に沿った回動軸を中心に、ディスクドライブ装置の内部及び外部の両方向に回動可能な少なくとも一つのシャッタリーフを有するシャッター構造において、少なくともシャッターリーフの回動側先端部にシート状の弾性部材を両面から貼り付け、その先端部を該弾性部材が張り合わされた張り出し部として形成したこと、を特徴とする、ディスクドライブ装置のシャッター防塵構造。
【請求項２】
前記張り出し部は、前記シャッターリーフの前記回動側先端部及び側端部に設けられることを特徴とする、請求項１に記載のディスクドライブ装置のシャッター防塵構造。
【請求項３】
前記シャッターリーフは、一つのシャッターリーフであり、前記シャッターリーフが前記挿入口を閉じた状態で、前記シャッターリーフの前記回動側先端部に設けられた前記張り出し部が、前記挿入口の前記回動軸が設けられた側と対向する挿入口壁に接することを特徴とする、請求項１または２に記載のディスクドライブ装置のシャッター防塵構造。
【請求項４】
前記シャッターリーフは、互いに対向する１対のシャッターリーフであり、前記張り出し部は前記１対のシャッターリーフの双方に設けられていることを特徴とする、請求項１または２に記載のディスクドライブ装置のシャッター防塵構造。
【請求項５】
前記１対のシャッターリーフの前記回動側先端部に夫々設けられた前記張り出し部は、前記１対のシャッターリーフが前記挿入口を閉じた状態で、互いに接触することを特徴とする、請求項４に記載のディスクドライブ装置のシャッター防塵構造。
【請求項６】
前記シャッターリーフの前記側端部に設けられた張り出し部は、前記シャッターリーフが前記挿入口を閉じた状態で、前記挿入口の前記回動軸に直交する挿入口壁に接触することを特徴とする、請求項２から５のいずれかに記載のディスクドライブ装置のシャッター防塵構造。
【請求項７】
前記張り出し部材は、ゴム部材により形成されていることを特徴とする、請求項１から６のいずれかに記載のディスクドライブ装置のシャッター防塵構造。
【発明の詳細な説明】
【０００１】
【産業上の利用分野】
本発明は、ディスクドライブ装置の、ディスクカートリッジを挿入する挿入口を開閉するためのシャッター構造に関し、さらに詳しくは、シャッターを閉じて挿入口を塞いだ状態でのシャッター部分からの塵埃の侵入を防ぐシャッター防塵構造に関する。
【０００２】
【従来の技術】
従来より、光ディスク、磁気ディスク等を記録媒体として情報の記録・再生を行う装置が知られている。このような情報記録・再生装置においては、前記のようなディスク状の記録媒体は、記録面への塵や埃の付着を避けるため、通常開閉可能なシャッター機構を有するディスクカートリッジに収納されている。これに対して前記の情報記録・再生装置はディスクドライブ装置を有しており、情報の記録・再生時にはディスクカートリッジがディスクドライブ装置に挿入される。この時ディスクドライブ装置は、挿入されたディスクカートリッジに設けられたカートリッジシャッターを開いて情報の記録・再生を行える状態にした後、ディスクを回転させ、光ピックアップ、磁気ヘッド等により情報の書込みあるいは読取りを行う。
一方、ディスクドライブ装置の、ディスクカートリッジを装置内部に挿入するための挿入口にも、塵や埃の侵入を防ぐためのシャッターが設けられている。また、このシャッターの奥には、情報の書込みや読取りを行う位置までディスクカートリッジを搬送するための、カートリッジホルダが設けられている。
従来、ディスクカートリッジの挿入・排出に伴ってディスクドライブ装置内部に侵入する塵を最小限に抑えるため、シャッターは、挿入口を塞ぐ大きさの１枚あるいは２枚のシャッターリーフを有しており、このシャッターリーフが挿入口の長辺に設けられた回転軸を中心に、ディスクドライブ装置の内部及び外部の両方向に回動するように構成されている。
【０００３】
【発明が解決しようとする課題】
しかし、このような従来のシャッター構造では、シャッターリーフをスムースに回動させるために、寸法公差を考慮して、シャッターリーフの回動側先端や側端と挿入口の間にクリアランスを設ける必要があった。このような隙間が存在すると、シャッターが閉じられていてもディスクドライブ装置内部に塵埃が侵入して、挿入されたディスクカートリッジのカートリッジシャッターの開いた窓からこの塵埃が入り込み、結果的にディスク表面に付着することがあり、改善が望まれていた。
【０００４】
【発明の目的】
本発明は、装置内へのディスクカートリッジ挿入後及び装置内からのディスクカートリッジ排出後のシャッターが閉じた状態において、簡単な構造でディスクドライブ装置内部への塵埃の侵入をしにくくすることのできる、ディスクドライブ装置のシャッター防塵構造を提供することを目的とする。
【０００５】
【課題を解決するための手段】
上記の目的を達成するため、本願のディスクドライブ装置のシャッター防塵構造は、挿入口に設けられ、挿入口の１辺に沿った回動軸を中心に、ディスクドライブ装置の内部及び外部の両方向に回動可能な少なくとも一つのシャッタリーフを有するシャッター構造において、少なくともシャッターリーフの回動側先端部にシート状の弾性部材を両面から貼り付け、その先端部を該弾性部材が張り合わされた張り出し部として形成したこと、を特徴とする。また、張り出し部をシャッターリーフの回動側先端部及び側端部に設けても良い。あるいは、シャッターリーフを一つとし、シャッターリーフが挿入口を閉じた状態で、シャッターリーフの回動側先端部に設けられた張り出し部が挿入口の回動軸が設けられた側と対向する挿入口壁に接するよう構成しても良い。また、シャッターリーフを、互いに対向する１対のシャッターリーフとし、張り出し部を１対のシャッターリーフの双方に設けることもできる。さらに、１対のリーフの回動側先端部に設けられた張り出し部が、１対のシャッターリーフが挿入口を閉じた状態で互いに接触するよう構成しても良い。また、シャッターリーフの側端部に設けられた張り出し部は、シャッターリーフが挿入口を閉じた状態で、挿入口の回動軸に直交する挿入口壁に接触するよう構成することもできる。さらに、張り出し部材をゴム部材により形成することもできる。
【０００６】
【実施例】
以下、実施例に基づいて本願の説明を行う。
図１は本発明に係わるシャッター防塵構造を適用するディスクドライブ装置の側断面図である。ディスクドライブ装置１のシャーシフレーム２には、ディスクカートリッジ５を挿入するための開口２ａが設けられている。また、ディスクドライブ装置１の正面にはフロントベゼル１０が設けられ、開口２ａに対応する箇所には挿入口１２が形成されている。この挿入口１２には、１枚のシャッターリーフ２０が設けられている。ディスクドライブ装置１の、挿入口１２の奥には、ディスクカートリッジ５を搬送するカートリッジホルダ８が待機している。カートリッジホルダ８は、ディスクカートリッジ５が所定位置まで挿入されるとこれを収納し、図示しないローディング機構によって、図中に二転鎖線で示すローディング位置７まで移動する。このローディング位置７で、ディスクカートリッジ５に収納されたディスクを回転させ、光ピックアップ、磁気ヘッド等により情報の書込みあるいは読取りを行う。
【０００７】
図２は、第１実施例のシャッター構造を示す斜視図である。図２において、矢印Ｉの方向がディスクドライブ装置内部、矢印Ｏの方向がディスクドライブ装置外部を示す。図２に示すように、挿入口１２には、シャッターリーフ２０が設けられている。なお、以下の説明において、挿入口１２の横幅方向を単に「幅方向」と表す。
フロントベゼル１０の挿入口１２の上端縁部には、１対の筒状のガイドヒンジ２４、２４が上部端縁に沿って形成されている。また、ガイドヒンジ２４、２４には、支軸２２よりも僅かに大きい内径の貫通孔が形成されている。シャッターリーフ２０の、上端の幅方向両端部には、支軸挿通部２６、２６が形成されている。支軸挿通部２６、２６は、筒状に形成され、その内径は支軸２２よりも大きく設定されている。また、シャッターリーフ２０の上端の幅方向中央には支軸ホルダ２５が形成されている。支軸ホルダ２５の幅方向両端には、支軸２２、２２をはめ込み可能な孔が設けられている。そして、シャッターリーフ２０を、支軸ホルダ２５がガイドヒンジ２４、２４の間に位置し、支軸挿通部２６、２６がガイドヒンジ２４、２４よりも幅方向外側に位置するように配置し、支軸２２、２２を、支軸挿通部２６、２６とガイドヒンジ２４、２４を通して、支軸ホルダ２５にはめ込むことによって、シャッターリーフ２０はガイドヒンジ２４、２４に回動可能に保持される。
また、ピン２２の、ガイドヒンジ２４、２４と支軸ホルダ２５の間の部分には、ねじりコイルばね６０が巻き付けられており、このねじりコイルばね６０の両腕部は夫々フロントベゼル１０、シャッターリーフ２０に接着されている。また、ねじりコイルばね６０は、図２のように、シャッターリーフ２０が延長方向を向いている時、即ち挿入口１２を閉鎖しているときに自然状態となるよう設定されている。従って、シャッターリーフ２０が図２の状態から、ディスクドライブ装置内部又は外部に回動すると、ねじりコイルばね６０は、シャッターリーフ２０を鉛直方向に向くよう付勢する。
【０００８】
図３は、第１実施例のシャッター構造を示す側断面図、第４図は、シャッターリーフを取り外して示した斜視図である。シャッターリーフ２０はプラスチック製であり、シャッターリーフ２０の先端部、及び側端部と挿入口の間には、寸法公差を考慮した所定のクリアランスが設けられている。
図３、及び図４に示すように、シャッターリーフ２０の先端部には、シート状に成形されたゴムが両面から貼り付けられている。そして、シャッターリーフ２０の先端部には、ゴムシートが２枚貼り合わされたゴムだけの部分即ち、張り出し部３０が形成される。シャッターリーフ２０の側端部にも、同様に張り出し部３０が形成されている。
これにより、シャッターリーフ２０が閉じている時には、張り出し部３０が挿入口１２の壁と接触することによって、シャッターリーフ２０の先端部及び側端部と挿入口１２の壁との間の隙間が塞がれ、塵・埃のディスクドライブ装置内部への侵入は防止される。
【０００９】
このように構成されているため、シャッターリーフ２０は、ディスクカートリッジの挿入・排出に伴って、ディスクドライブ装置内部・外部に揺動し、ディスクカートリッジが通過した後には、ねじりコイルばね６０の付勢により、速やかに鉛直方向、即ち、挿入口を閉鎖する位置に復帰する。そして、シャターリーフ２０が挿入口を閉鎖している時には、シャッターリーフ２０の先端部及び側端部に形成された張り出し部３０が、挿入口１２の壁と接触して、シャッターリーフ２０と挿入口１２の間の隙間を塞ぐため、装置外部からの塵埃の侵入は防止される。
【００１０】
次に、第２実施例について図５から図７を参照して説明する。
図５は、第２実施例のシャッター構造を示す斜視図である。図５において、矢印Ｉの方向がディスクドライブ装置内部、矢印Ｏの方向がディスクドライブ装置外部を示す。図５に示すように、挿入口１１２には、挿入口１１２の上側を塞ぐシャッターリーフ１２０と、下側を塞ぐシャッターリーフ１４０が設けられている。
フロントベゼル１１０の挿入口１１２の上端縁部には、１対の筒状のガイドヒンジ１２４、１２４が上部端縁に沿って形成されている。また、ガイドヒンジ１２４、１２４には、支軸１２２よりも僅かに大きい内径の貫通孔が形成されている。シャッターリーフ１２０の、上端の幅方向両端部には、支軸挿通部１２６、１２６が形成されている。支軸挿通部１２６、１２６は、筒状に形成され、その内径は支軸１２２よりも大きく設定されている。また、シャッターリーフ１２０の上端の幅方向中央には支軸ホルダ１２５が形成されている。支軸ホルダ１２５の幅方向両端には、支軸１２２、１２２をはめ込み可能な孔が設けられている。そして、シャッターリーフ１２０を、支軸ホルダ１２５がガイドヒンジ１２４、１２４の間に位置し、支軸挿通部１２６、１２６がガイドヒンジ１２４、１２４よりも幅方向外側に位置するように配置し、支軸１２２、１２２を、支軸挿通部１２６とガイドヒンジ１２４を通して、支軸ホルダ１２５にはめ込むことによって、シャッターリーフ１２０はガイドヒンジ１２４、１２４に回動可能に保持される。
同様に、挿入口１１２の下端縁部には、１対の筒状のガイドヒンジ１４４、１４４が下部端縁に沿って形成されている。ガイドヒンジ１４４、１４４には、支軸１４２よりも僅かに大きい内径の貫通孔が形成されている。また、シャッタープレート１４０の下端の幅方向両端には、支軸挿通部１４６、１４６が形成されている。支軸挿通部１４６、１４６は、筒状に形成され、その内径は支軸１４２、１４２より大きく設定されている。また、シャッターリーフ１４０の上端の幅方向中央には、支軸ホルダ１４５が設けられている。支軸ホルダ１４５の幅方向両端には、支軸１４２、１４２をはめ込み可能な孔が設けられている。そして、シャッターリーフ１４０を、支軸ホルダ１４５がガイドヒンジ１４４、１４４の間に位置し、支軸挿通部１４６、１４６がガイドヒンジ１４４、１４４よりも幅方向外側に位置するように配置し、支軸１４２を、支軸挿通部１４６とガイドヒンジ１４４を通して支軸ホルダ１４５にはめ込むことによって、シャッターリーフ１４０は、ガイドヒンジ１４４、１４４に回動可能に保持される。
【００１１】
また、ピン１２２の、ガイドヒンジ１２４と支軸ホルダ１２５の間には、ねじりコイルばね１６０、１６０が巻き付けられており、このねじりコイルばね１６０、１６０の両腕部は夫々フロントベゼル１１０、シャッターリーフ１２０に接着されている。同様に、ピン１４２の、ガイドヒンジ１４４と支軸ホルダ１４５の間には、ねじりコイルばね１６５、１６５が巻き付けられており、このねじりコイルばね１６５、１６５の両腕部は夫々フロントベゼル１１０、シャッターリーフ１４０に接着されている。
また、ねじりコイルばね１６０、１６５は、図５のように、シャッターリーフ１２０、１４０が延長方向を向いている時に自然状態となるよう設定されている。従って、シャッターリーフ１２０、１４０が図５の閉鎖状態から、ディスクドライブ装置内部又は外部に回動すると、ねじりコイルばね１６０、１６５は、夫々シャッターリーフ１２０、１４０を鉛直方向に向くよう付勢する。
【００１２】
図６は、第２実施例のシャッター構造を示す側断面図、図７は、シャッターリーフを、取り外して示す斜視図である。シャッターリーフ１２０、１４０はプラスチック製であり、シャッターリーフ１２０とシャッターリーフ１４０の先端部の間には、寸法公差を考慮した所定のクリアランスが設けられている。
図６、及び図７に示すように、シャッターリーフ１２０、１４０の先端部には、シート状に成形されたゴムシートが両面から貼り付けられている。そして、シャッターリーフ１２０、１４０の先端部には、ゴムシートが２枚貼り合わされたゴムだけの部分、即ち、張り出し部１３０、１５０が形成される。
同様にして、張り出し部１３０、１５０は、シャッターリーフ１２０、１４０の側端部にも形成される。
これにより、シャッターリーフ１２０、１４０が閉じている時には、張り出し部１３０、１５０が挿入口１１２の側壁と接触すると共に、張り出し部１３０と張り出し部１５０が接触することにより、シャッターリーフ１２０、１４０の夫々の側端部と挿入口１１２の間の隙間、及びシャッターリーフ１２０、１４０の間の隙間が、張り出し部１３０、１５０によって塞がれるため、塵埃のディスクドライブ装置内部への侵入は防止される。
【００１３】
このように構成されているため、シャッターリーフ１２０、１４０は、ディスクカートリッジ５の挿入・排出に伴って、ディスクドライブ装置内部・外部に揺動し、ディスクカートリッジが通過した後には、ねじりコイルばね１６０、１６５により、速やかに鉛直方向、即ち、挿入口１１２を塞ぐ位置に復帰する。そして、シャッターリーフ１２０、１４０が挿入口１１２を閉鎖している時には、シャッターリーフ１２０、１４０の先端部及び側端部に夫々形成されたゴム張り出し部１３０、１５０が、シャッターリーフ１２０、１４０と挿入口１１２の間の隙間、及びシャッターリーフ１２０、１４０の間の隙間を塞ぐため、装置外部からの塵埃の侵入は防止される。
【００１４】
【発明の効果】
以上のように、本発明によるディスクドライブ装置のシャッター防塵構造によれば、シャッターリーフの先端部及び側端部に弾性部材からなる張り出し部を設けたことにより、シャッターリーフと挿入口の間、及び２枚のシャッターリーフの間に隙間ができるのを防止することができ、簡単な構成でディスクドライブ装置内部への塵の侵入を防止することが可能となった。
【図面の簡単な説明】
【図１】この発明のシャッター防塵構造の一実施例を適用するディスクドライブ装置を示す側断面図である。
【図２】第１実施例のシャッター構造の斜視図である。
【図３】図２に示すシャッター構造の側断面図である。
【図４】図２に示すシャッター構造のシャッターリーフを示す斜視図である。
【図５】第２実施例のシャッター構造の斜視図である。
【図６】図５に示すシャッター構造の側断面図である。
【図７】図５に示すシャッター構造のシャッターリーフを示す斜視図である。
【符号の説明】
１                  ディスクドライブ装置
２                  シャーシフレーム
５                  ディスクカートリッジ
１０                フロントベゼル
１２                挿入口
２０                シャッターリーフ
２２                支軸
２４                ガイドヒンジ
２５                支軸ホルダ
２６                支軸挿通部
３０                張り出し部
６０                ねじりコイルばね
１１０              フロントベゼル
１１２              挿入口
１２４、１４４      ガイドヒンジ
１２０、１４０      シャッターリーフ
１２２、１４２      支軸
１２５、１４５      支軸ホルダ
１６０、１６５      ねじりコイルばね
【図１】
0003670716.tif 000002
【図２】
0003670716.tif 000003
【図３】
0003670716.tif 000004
【図４】
0003670716.tif 000005
【図５】
0003670716.tif 000006
【図６】
0003670716.tif 000007
【図７】
0003670716.tif 000008